(57)【要約】【課題】脇部品と内袖部品を一体にして、脇の下の位置にマチ部を設けることによって、腕を胸周りにまわしても、生地が突っ張らないので、着ている人に不快感を与えず、また、腕の可動範囲が大きくなる上着を提供する。【解決手段】脇部品と内袖部品とを構成部品にした上着において、少なくとも脇の下の位置で前記脇部品と前記内袖部品とが一体のパーツとなっており、該パーツの生地が、脇の略背丈方向が縦地に、内袖の略袖丈方向が横地になるようにし、また、該パーツの形状が、前記脇の下の位置で略逆Ｌ字型の略直角形状をなし、また、該パーツの該略直角部分の境界線より下側の該脇部品を前後の身頃部品と、前記境界線より上側の該内袖部品を外袖部品と、に接続するように設け、かつ、該境界線を長手の対角線とした略菱形状のマチ部が設けられたことを特徴とする上着。【選択図】図１
2016035115.tif 000002
【特許請求の範囲】
【請求項１】
脇部品と内袖部品とを構成部品にした上着において、少なくとも脇の下の位置で前記脇部品と前記内袖部品とが一体のパーツとなっており、該パーツの生地が、脇の略背丈方向が縦地に、内袖の略袖丈方向が横地になるようにし、また、該パーツの形状が、前記脇の下の位置で略逆Ｌ字型の略直角形状をなし、また、該パーツの該略直角部分の境界線より下側の該脇部品を前後の身頃部品と、前記境界線より上側の該内袖部品を外袖部品と、に接続するように設け、かつ、該境界線を長手の対角線とした略菱形状のマチ部が設けられたことを特徴とする上着。
【請求項２】
前記上着が、ジャケット（ブレザー、スーツの上着）、作業着、制服の上着、ユニフォームの上着又はコートであることを特徴とする請求項１に記載の上着。
【請求項３】
前記上着の表面生地が、同一の素材と柄の生地で構成されていることを特徴とする請求項１又は２に記載の上着。
【発明の詳細な説明】
【技術分野】
【０００１】
本発明は、腕を前方や上方に動かす際にも、腕、脇、背中の生地が突っ張らなくして円滑に着こなすことができる上着に関するものである。
【背景技術】
【０００２】
従来、上着を着て、二の腕を前方や上方に動かすと、上着の腕、脇、背中が引張られて、その部分に突っ張り感が生じて、不快に感じるという問題及び腕の可動範囲が狭いという問題があった（図４）。
【０００３】
そこで、従来、部分的に伸縮生地を用いることが行われており、例えば、内袖部と脇部、身頃部と脇部、身頃部と外袖部、との間に伸縮生地を縫合して、その伸縮生地の伸縮性によって、身体を左右に大きく捻ったり腕を振り上げても、突っ張り感が生じさせないとするゴルフシャツの先行技術が開示されている（参考文献１）。
【先行技術文献】
【特許文献】
【０００４】
【特許文献１】特開２０１２−００７２５２号公報
【発明の概要】
【発明が解決しようとする課題】
【０００５】
特許文献１の先行技術には、内袖部と脇部、身頃部と脇部、身頃部と外袖部、との間に伸縮生地を縫合することによって、身体を左右に大きく捻ったり腕を振り上げても、突っ張り感が生じないことが開示されているが、例えば、ブレザーやスーツの上着のように外観が重要であって、外側を一種類の生地を用いて縫製する上着には、素材や柄を異にする伸縮生地は使用出来ないという問題があった。また、特許文献１の先行技術は、通常の生地の他に別途伸縮生地が必要となるので材料費が余計にかかり、また、縫製の手間も余計にかかるという問題があった。
【０００６】
本発明は、これらの問題を解決したものであって、脇部品と内袖部品を一体にして、脇の下の位置にマチ部を設けることによって、マチ部そのものの伸縮作用と生地がバイアス方向に伸びるという作用とを利用して、腕を胸周りにまわしても生地が突っ張らないので、着ている人に不快感を与えず、また、腕の可動範囲が大きくなる上着を提供するものである。
【課題を解決するための手段】
【０００７】
上記の目的を達成するために、本願発明の請求項１に係る上着は、脇部品と内袖部品とを構成部品にした上着において、少なくとも脇の下の位置で前記脇部品と前記内袖部品とが一体のパーツとなっており、該パーツの生地が、脇の略背丈方向が縦地に、内袖の略袖丈方向が横地になるようにし、また、該パーツの形状が、前記脇の下の位置で略逆Ｌ字型の略直角形状をなし、また、該パーツの該略直角部分の境界線より下側の該脇部品を前後の身頃部品と、前記境界線より上側の該内袖部品を外袖部品と、に接続するように設け、かつ、該境界線を長手の対角線とした略菱形状のマチ部が設けられたことを特徴とする。
【０００８】
この構成を採用することにより、脇部品と内袖部品が一体のパーツとなっていて、該パーツは、脇の下の位置で略直角に曲がった逆Ｌ字形状をしており、また、該パーツの生地の布目方向は、脇の背丈方向が縦地、内袖の袖丈方向が横地となっている。
【０００９】
また、該パーツは、逆Ｌ字形状の略直角部分の外側の角と内側の角とを結んだ線が、脇部分と内袖部分の境界線であり、その境界線の下側（裾側）の部分を前身頃と後身頃に、上側（肩、袖口側）の部分を外袖に接続するように縫合している。
【００１０】
前記境界を長手の対角線とした略菱形状のマチ部が脇の下の位置にできる。請求項１に係る上着を着て腕を下ろした状態では、このマチ部は、脇の下に折畳まれるので、外観は、一般の上着と変わりがなく、また、肩、腕、脇に突っ張りによる違和感もない。
【００１１】
また、請求項１に係る上着を着た状態において、腕を胸の前に回した際に、脇下のマチ部が伸びることと、そのマチ部の生地がバイアス方向に引張られて伸びることと相俟って、生地が突っ張らず、違和感なく腕を前方から腕の反対側方向に回すことができる。また、生地が、突っ張らないので腕の可動範囲が大きくなる。同様に、腕を上に上げた際にも、生地が突っ張らないので、違和感なく腕を上に上げることができ、腕の可動範囲も大きくなる。
【００１２】
本願発明の請求項２に係る上着は、請求項１に記載の上着において、前記上着が、ジャケット（ブレザー、スーツの上着）、作業着、制服の上着、ユニフォームの上着又はコートであることを特徴とする。また、請求項３に係る上着は、請求項１又は２に記載の上着において、前記上着の表面生地が、同一の素材と柄の生地で構成されていることを特徴とする。
【００１３】
本発明に係る上着を全ての上着に用いることができるが、特に外観が重要である上着に使用すれば効果が高いので、例えば、ジャケット（ブレザー、スーツの上着）、作業着、制服の上着、ユニフォームの上着又はコート等に用いるのがよい。その中でも特に表側の生地が統一した素材や柄を使用する上着に用いるのが好適である。
【発明の効果】
【００１４】
本発明に係る請求項１から３に記載の上着によれば、縦横方向に伸縮する生地を用いる必要がないので、表生地を統一しているジャケット（ブレザー、スーツの上着）、作業着、制服の上着、ユニフォームの上着又はコートに使用しても、肩や背中に突っ張り感を感じずに、スムーズに腕を綿布や上方に動かすことができるし、また、腕の可動範囲を大きくすることができる。また、脇の下の位置に伸縮生地を使用しないので材料費も安くできて、伸縮生地を縫い付ける余計な縫製の手間もかからない。
【図面の簡単な説明】
【００１５】
【図１】本発明の実施するための形態に係る上着であって、（ａ）は、腕を下げた状態の上着の模式的側面図、（ｂ）は、腕を前に伸ばした状態の上着の模式的平面図である。
【図２】図１の脇・内袖一体パーツ部分の形態を表しており、（ａ）が、図１に対応し、（ｂ）、（ｃ）、（ｄ）、（ｅ）は、それぞれ、脇・内袖一体パーツ部分の形態の変形例を示した模式的側面図である。
【図３】本発明の実施するための形態に係る上着であって、図１の上着の模式的平面図である。
【図４】一般の上着であって、上着の模式的平面図である。
【発明を実施するための形態】
【００１６】
図１（ａ）、（ｂ）に示すように、本発明に係る上着１は、少なくとも脇・内袖一体パーツ２を備えており、また、その他の主な部品として、前身頃部品３−１、後身頃部品３−２、外袖部品４、衿部品５がある。
【００１７】
図２（ｄ）に示すように脇・内袖一体パーツ２は、脇の下の位置で、脇の部分と内袖の部分が一体となるように、一つの生地から裁断されており、また、その脇の下の位置で略直角に曲がった逆Ｌ字型をし、かつ、生地の布目方向は、脇の背丈方向が縦地に、内袖の袖丈方向が横地になっている。なお、図１に示されている脇・内袖一体パーツ２の形態は、図２（ａ）に示すパーツである。
【００１８】
また、図１に示すように、本発明に係る上着１は、脇・内袖一体パーツ２について、逆Ｌ字形状の略直角部分の外側の角２０と内側の角２１とを結んだ線が、脇部分と内袖部分との境界線２−４である。その境界線２−４の下側（裾側）の部分を前身頃３−１と後身頃３−２に、上側（肩、袖口側）の部分を外袖４に接続するように縫合している。
【００１９】
本発明に係る上着１を着用すれば、図１（ａ）に示すように、腕を下げた状態では、脇・内袖一体パーツ２は、前記境界２−４を長手の対角線とした略菱形形状のマチ部２−１（斜線を施している部分）が、脇の下の位置にできる。マチ部２−１は、脇の下に折畳まれており、従来の上着と外観に差がないので、上着を着用した外観も見栄えがよく、また、腕や脇の下に突っ張り感等の違和感がない。
【００２０】
また、図１（ｂ）に示すように、本発明に係る上着１を着用して腕を前方に伸ばした状態にすれば、脇の下に折畳まれていたマチ部２−１が伸びる。また、脇の下の部分（マチ部２−１）の生地は、背丈方向が縦地と腕方向が横地となっているので、腕を前方に伸ばした際に、マチ部２−１は、生地のバイアス方向に力が加わることになるので、生地自体が伸び易くなる。よって、腕を前方に伸ばしても、腕、脇、背中が突っ張らないので着用に違和感がない。同様に、前方から反対側にまわしたり、上方に上げたとしても、腕、脇、背中に突っ張りを感じない。
【００２１】
また、図３に示すように、腕を胸側にまわしたとしても、マチ部２−１が伸びるので、それによって、袖の背中側の付け根の位置が前方にスライドすることになり、袖（腕）の可動範囲１０を広げることができる。同様に、腕を上方に上げたとしても、マチ部２−１が伸びて、袖の背中側の付け根の位置が上方にスライドし、袖（腕）の可動範囲を広げることができる。
【００２２】
本発明に係る上着を用いれば、別途、伸縮生地を使用しないので、表地に同一の素材・柄の生地のみを使用できる。よって、外観が重要なジャケット（ブレザー、スーツの上着）のようなフォーマルな上着に用いることができ、しかも、そのフォーマルな上着を着ても、違和感なく腕を動かすことができる。また、作業着やユニフォームに用いた場合にも、表側の生地に同一の柄の生地のみを用いることができるので、外観を見栄えよくすることができる。
【００２３】
なお、図２（ｄ）に示す脇・内袖一体パーツ２は、脇部品全部と内袖部品全部とが一体として構成されているタイプのものである。このタイプは、脇・内袖一体パーツ２が最大の大きさとなるので、縫製する箇所が少なくなる。他にも様々な変形のタイプがあり、例えば、脇と内袖が、脇・内袖一体パーツ２、脇部品２−２、内袖部品２−３に分割された図２（ａ）、（ｂ）、（ｃ）、（ｅ）のようなタイプがあり、上述したように、脇・内袖一体パーツ２のマチ部分２−１の作用によって、肩や背中に突っ張り感を感じずに、スムーズに腕を綿布や上方に動かすことができる。
【産業上の利用可能性】
【００２４】
服飾の分野に広く利用することができる。
【符号の説明】
【００２５】
１：上着
２：脇・内袖一体パーツ    
２−１：マチ部                    ２−２：脇部品
２−３：内袖部品                  ２−４：境界線
３−１：前身頃部品                ３−２：後身頃部品
４：外袖部品
５：衿部品
１０：袖の可動範囲
２０：外角                          ２１：内角
【図１】
2016035115.tif 000003
【図２】
2016035115.tif 000004
【図３】
2016035115.tif 000005
【図４】
2016035115.tif 000006